(57)【要約】【課題】アナログＹ信号とアナログ色差信号が最適にＡ／Ｄ変換され、かつＡ／Ｄ変換前後の比率が一定に保たれるように利得制御をする。【解決手段】Ｙ信号フィードバック利得調整部１３４は第１のディジタルＹ信号のレベルに基づいてアナログ信号増幅部１３０の利得を調整する。切替部１４２は垂直同期期間中であるときにアナログＹ信号、垂直同期期間外であるときにアナログ色差信号を出力する。アナログ信号増幅部１５０とＡ／Ｄ変換部１５２は切替部１４２からの出力信号を増幅してＡ／Ｄ変換し中間ディジタル信号を得る。色差信号フィードバック利得調整部１５４は、垂直同期期間中において中間ディジタル信号の信号レベルに基づいてアナログ信号増幅部１５０の利得を調整し、その後、次の垂直同期期間まで利得を維持する。【選択図】図１
2008258988.tif 000002
【特許請求の範囲】
【請求項１】
アナログＹ信号とアナログ色差信号が含まれるアナログ映像信号をディジタル映像信号に変換する映像信号変換装置であって、
前記アナログＹ信号を増幅する第１のアナログ信号増幅部と、
該第１のアナログ信号増幅部により増幅された前記アナログＹ信号をＡ／Ｄ（アナログ／ディジタル）変換して第１のディジタルＹ信号を得る第１のＡ／Ｄ変換部と、
前記第１のディジタルＹ信号の信号レベルに基づいて、前記第１のアナログ信号増幅部の利得を調整するＹ信号フィードバック利得調整部と、
前記第１のディジタルＹ信号に対して垂直同期期間の検出を行い、垂直同期期間であるか否かを示す垂直同期期間信号を出力する垂直同期検出部と、
前記アナログＹ信号と前記アナログ色差信号と前記垂直同期期間信号とを入力し、前記垂直同期期間中であるときには前記アナログＹ信号、前記垂直同期期間外であるときには前記アナログ色差信号を出力する切替部と、
該切替部からの出力信号を増幅する第２のアナログ信号増幅部と、
該第２のアナログ信号増幅部により増幅された出力信号をＡ／Ｄ変換して中間ディジタル信号を得る第２のＡ／Ｄ変換部と、
前記垂直同期期間中であるときに、前記中間ディジタル信号の信号レベルに基づいて前記第２のアナログ信号増幅部の利得を調整し、前記垂直同期期間外であるときに、次の垂直同期期間まで、前回の垂直同期期間中に調整した前記利得を維持する色差信号フィードバック利得調整部とを備えることを特徴とする映像信号変換装置。
【請求項２】
前記第１のディジタルＹ信号を増幅して目標ディジタルＹ信号を得る第１のディジタル信号増幅器と、
前記垂直同期期間中において、前記中間ディジタル信号を増幅して目標色差ディジタル信号を得る第２のディジタル信号増幅器と、
前記第１のディジタルＹ信号の信号レベルに基づいて、前記第１のディジタル信号増幅部と前記第２のディジタル信号増幅の利得を調整するフィードフォーワード利得調整部とをさらに備えることを特徴とする請求項１に記載の映像信号変換装置。
【請求項３】
前記フィードフォーワード利得調整部は、
前記第１のディジタルＹ信号に含まれた水平同期信号のレベルを検出する水平同期レベル検出部と、
該水平同期レベル検出部により検出された水平同期レベルが所定の同期レベル目標値に変換されるように前記第１のディジタル信号増幅部と前記第２のディジタル信号増幅の利得を調整する利得調整実行部とを有することを特徴とする請求項２に記載の映像信号変換装置。
【請求項４】
前記フィードフォーワード利得調整部は、
前記第１のディジタルＹ信号の最大レベル値を検出する最大値検出部と、
該最大値検出部により検出された前記最大レベル値が所定の最大値目標レベルに変換されるように前記第１のディジタル信号増幅部と前記第２のディジタル信号増幅の利得を調整する利得調整実行部とを有することを特徴とする請求項２に記載の映像信号変換装置。
【請求項５】
前記フィードフォーワード利得調整部は、
前記第１のディジタルＹ信号に含まれた水平同期信号のレベルを検出する水平同期レベル検出部と、
前記第１のディジタルＹ信号の最大レベル値を検出する最大値検出部と、
前記水平同期レベル検出部により検出された水平同期レベルが所定の同期レベル目標値に変換されるように前記第１のディジタル信号増幅部と前記第２のディジタル信号増幅の利得を調整する同期レベル利得調整と、前記最大値検出部により検出された前記最大レベル値が所定の最大値目標レベルに変換されるように前記第１のディジタル信号増幅部と前記第２のディジタル信号増幅の利得を調整する最大値利得調整とを選択的に実行する利得調整実行部とを有することを特徴とする請求項２に記載の映像信号変換装置。
【請求項６】
前記利得調整実行部は、外部からの選択信号に応じて前記同期レベル利得調整と前記最大値利得調整を選択することを特徴とする請求項５に記載の映像信号変換装置。
【請求項７】
前記Ｙ信号フィードバック利得調整部は、
前記第１のディジタルＹ信号に含まれた水平同期信号のレベルが第１のレベルになるように前記第１のアナログ信号増幅部の利得を調整し、
前記色差信号フィードバック利得調整部は、前記垂直同期期間中において、前記中間ディジタル信号に含まれた水平同期信号のレベルが前記第１のレベルになるように前記第２のアナログ信号増幅部の利得を調整し、前記垂直同期期間外であるときに、次の垂直同期期間まで、前回の垂直同期期間中に調整した前記利得を維持することを特徴とする請求項１から６のいずれか１項に記載の映像信号変換装置。
【請求項８】
前記Ｙ信号フィードバック利得調整部は、
前記第１のディジタルＹ信号の最大レベル値が第２のレベルになるように前記第１のアナログ信号増幅部の利得を調整し、
前記色差信号フィードバック利得調整部は、前記垂直同期期間中において、前記中間ディジタル信号の最大レベル値が前記第２のレベルになるように前記第２のアナログ信号増幅部の利得を調整し、前記垂直同期期間外であるときに、次の垂直同期期間まで、前回の垂直同期期間中に調整した前記利得を維持することを特徴とする請求項１から６のいずれか１項に記載の映像信号変換装置。
【発明の詳細な説明】
【技術分野】
【０００１】
本発明は、映像信号変換技術、具体的にはアナログＹ信号とアナログ色差信号が含まれるアナログ映像信号をディジタル映像信号に変換する技術に関する。
【背景技術】
【０００２】
近年、映像信号圧縮技術と標準化が進み、本格的なディジタル放送の時代が迎えられている。それに伴い、ビデオ信号はディジタルコンポーネント信号への移行が進んでおり、アナログビデオ信号についても、主流は、コンポジット信号やセパレート信号からコンポーネント信号へ移りつつある。このような背景において、種々のアナログビデオ信号をディジタルコンポーネント信号へＡ／Ｄ（アナログ／ディジタル）変換することが行われており、そのためのアナログビデオデコーダなどの装置が開発されている。
【０００３】
これらの装置において、伝送経路で生じたアナログビデオ信号の歪みの補正や量子化ノイズの軽減、ディジタルコンポーネント信号の規格に定められたレベルへの合わせなどのために、利得制御が行われている。
【０００４】
特許文献１は、Ａ／Ｄ変換前のアナログ信号に対して利得制御を行うアナログ利得制御と、Ａ／Ｄ変換後のディジタル信号に対して利得制御を行うディジタル制御を組み合わせた利得制御回路を開示している。
【０００５】
図３は、特許文献１における図１であり、バースト信号を含むアナログビデオ色信号（以下単にアナログ色信号という）をディジタル色信号に変換する回路を示す。この回路において、アナログ利得調整手段１１は、入力端子１９を介して入力したアナログ色信号を増幅する。ＡＤ変換手段１２は、アナログ利得調整手段１１により増幅されたアナログ色信号をディジタル色信号に変換する。ディジタル利得調整手段１５は、ＡＤ変換手段１２により得られたディジタル色信号をさらに増幅する。
【０００６】
図３に示す最大値検出手段１６と、最大値制御手段１７と、ＤＡ変換手段１８は、フィードバックループを形成し、アナログ利得調整手段１１の利得を制御する。バーストレベル検出手段１３と、バーストレベル制御手段１４は、フィードフォーワードループを形成し、ディジタル利得調整手段１５の利得を制御する。
【０００７】
最大値検出手段１６は、ＡＤ変換手段１２により得られたディジタル色信号の最大レベル値を検出する。最大値制御手段１７は、最大値検出手段１６により検出された最大レベル値に基づいて、ＡＤ変換手段１２によるＡＤ変換が最適に行われるように、アナログ利得調整手段１１の利得を制御する制御信号を生成する。具体的には、ディジタル色信号の最大レベル値が所定のレベルになるようにアナログ利得調整手段１１の利得を制御する。この所定のレベルは、たとえば量子化ノイズを軽減するためにＡＤ変換手段１２のダイナミックレンジをフルに利用できるように定められる。ＤＡ変換手段１８は、最大値制御手段１７が生成した制御信号をアナログ信号に変換してアナログ利得調整手段１１に出力する。アナログ利得調整手段１１は、この制御信号に応じた利得でアナログ色信号を増幅する。
【０００８】
バーストレベル検出手段１３は、ＡＤ変換手段１２により得られたディジタル色信号に含まれるバースト信号の振幅を検出する。バーストレベル制御手段１４は、このバースト信号の振幅が所定のレベルに変換されるようにディジタル利得調整手段１５の利得を制御する。この所定のレベルは、たとえば規格により定められたレベルである。
【０００９】
このような構成により、ＡＤ変換手段１２に常に最適なレベルでアナログ色信号を入力し、ディジタル利得調整手段１５から一定のレベルのディジタル色信号を出力することができる。
【００１０】
図３に示すフィードバックループは、ＡＤ変換手段１２により得られたディジタル色信号の最大値が常に所定のレベルになるように、Ａ／Ｄ変換前のアナログ色信号を増幅する際の利得を制御する。このような利得制御は最大値利得制御という。
【００１１】
アナログＹ信号やアナログコンボジット信号のＡ／Ｄ変換に、図３に示すフィードバックループの適用が考えられる。図４はこの場合の利得制御の模式図を示す。なお、図４について、図３が示す回路において相対応する機能を有するブロックに対して同一の符号を付与する。
【００１２】
図４の模式図において、アナログＹ信号またはアナログコンポジット信号となるアナログ入力信号に対して、アナログ利得調整手段１１は、アナログ入力信号を増幅する。ＡＤ変換手段１２は、アナログ利得調整手段１１により増幅されたアナログ入力信号をディジタル信号に変換する。最大値検出手段１６は、ＡＤ変換手段１２により得られたディジタル信号の最大レベル値を検出する。最大値制御手段１７は、最大値検出手段１６により検出された最大レベル値に基づいて、ＡＤ変換手段１２によるＡＤ変換が最適に行われるように、アナログ利得調整手段１１の利得を制御する制御信号を生成する。ＤＡ変換手段１８は、最大値制御手段１７が生成した制御信号をアナログ信号に変換してアナログ利得調整手段１１に出力する。アナログ利得調整手段１１は、この制御信号に応じた利得でアナログ入力信号を増幅する。
【００１３】
通常、アナログＹ信号やアナログコンポジット信号には水平同期信号が含まれている。このような水平同期信号が含まれるアナログ信号をＡ／Ｄ変換する際に、図４に示す最大値検出手段１６と最大値制御手段１７を図中括弧で囲まれたように、水平同期レベル検出手段と水平同期レベル制御手段でそれぞれ代替してもよい。この場合、水平同期レベル検出手段１６は、ＡＤ変換手段１２により得られたディジタル信号における水平同期信号のレベルを検出する。水平同期レベル制御手段１７は、水平同期レベル検出手段１６により検出された水平同期レベルに基づいて、ＡＤ変換手段１２によるＡＤ変換が最適に行われるように、アナログ利得調整手段１１の利得を制御する制御信号を生成する。具体的には、水平同期レベルが所定のレベルになるようにアナログ利得調整手段１１の利得を制御する。ＤＡ変換手段１８は、水平同期レベル制御手段１７が生成した制御信号をアナログ信号に変換してアナログ利得調整手段１１に出力する。アナログ利得調整手段１１は、この制御信号に応じた利得でアナログ入力信号を増幅する。このような利得制御は同期レベル利得制御という。
【００１４】
同期レベル制御も、水平同期信号が含まれるアナログ信号のＡ／Ｄ変換時に、Ａ／Ｄ変換が最適に行われるようにアナログ信号を増幅することができる。
【００１５】
図５は、特許文献２における図１であり、輝度（Ｙ）信号と色差信号を有するコンポーネント信号のレベルを調整する回路を示す。なお、色差信号は、Ｒ−Ｙ信号とＢ−Ｙ信号の２つがあり、以下、単に色差信号というときも、Ｒ−Ｙ信号とＢ−Ｙ信号の２つを意味する。
【００１６】
図５に示す回路において、第１のレベル調整手段２はＹ信号のレベルを調整し、第２のレベル調整手段３は色差信号のレベルを調整する。レベル検出手段１は、コンポーネント信号のＹ信号に含まれる同期信号のレベル（以下同期レベルという）を検出し、検出した同期レベルを第１のレベル調整手段２と第２のレベル調整手段３に供する。
【００１７】
第１のレベル調整手段２は、レベル検出手段１から供される同期レベルに応じて、該同期レベルが常に目標のレベルになるように、Ｙ信号のレベルを調整する際の利得を調整する。第２のレベル調整手段３も同様に、レベル検出手段１から供される同期レベルに応じて、該同期レベルが常に上記目標のレベルになるように、色差信号のレベルを調整する際の利得を調整する。
【００１８】
このような構成により、コンポーネント信号のレベルを調整する際に、レベル調整後のＹ信号と色差信号の比率を、レベル調整前と同様に保つことができる。
【特許文献１】特開平１１−８８９０１号公報
【特許文献２】特開昭６３−１４２９９４号公報
【発明の開示】
【発明が解決しようとする課題】
【００１９】
アナログＹ信号とアナログ色差信号が含まれるアナログコンポーネント信号のＡ／Ｄ変換に図４と図５に示す技術を組み合わせることが考えられる。図６は、同期レベル利得制御を例にした場合の模式図を示す。
【００２０】
図６に示す回路において、アナログ利得調整手段３２は、アナログＹ信号を増幅する。ＡＤ変換手段３４は、アナログ利得調整手段３２により増幅されたアナログＹ信号をディジタル信号に変換する。アナログ利得調整手段５２は、アナログ色差信号を増幅する。ＡＤ変換手段５４は、アナログ利得調整手段５２により増幅されたアナログ色差信号をディジタル信号に変換する。
【００２１】
水平同期レベル検出手段４２と、水平同期レベル制御手段４４と、ＤＡ変換手段４６は、フィードバックループを構成する。水平同期レベル検出手段４２は、ＡＤ変換手段３４により得られたディジタルＹ信号に含まれた水平同期信号のレベルを検出する。水平同期レベル制御手段４４は、水平同期レベル検出手段４２により検出された水平同期レベルに基づいて、該水平同期レベルが常に所定のレベルになるようにアナログ利得調整手段３２の利得を制御する制御信号を生成する。ＤＡ変換手段４６は、水平同期レベル制御手段４４が生成した制御信号をアナログ信号に変換してアナログ利得調整手段３２に出力すると共に、アナログ利得調整手段５２にも出力する。アナログ利得調整手段３２とアナログ利得調整手段５２は、この制御信号に応じた利得でアナログＹ信号とアナログ色差信号をそれぞれ増幅する。
【００２２】
図６に示す回路は、アナログＹ信号とアナログ色差信号を常に最適にＡ／Ｄ変換し、Ａ／Ｄ変換前後の比率を保つことができると考えられる。ところで、アナログＹ信号とアナログ色差信号の利得調整手段とＡ／Ｄ変換手段のいずれもアナログ素子であるため、温度や電源電圧などの周囲条件や製造時の特性パラメータのばらつきにより、アナログＹ信号とアナログ色差信号に対して同じ制御信号で利得を調整しても、実質的な利得調整にばらつきが生じうる。そのため、Ａ／Ｄ変換前後において、Ｙ信号と色差信号の比率が変わってしまう恐れがある。
【課題を解決するための手段】
【００２３】
本発明の１つの態様は、アナログＹ信号とアナログ色差信号が含まれるアナログ映像信号をディジタル映像信号に変換する映像信号変換装置である。この映像信号変換装置は、アナログＹ信号を増幅する第１のアナログ信号増幅部と、該第１のアナログ信号増幅部により増幅されたアナログＹ信号をＡ／Ｄ変換して第１のディジタルＹ信号を得る第１のＡ／Ｄ変換部と、第１のディジタルＹ信号の信号レベルに基づいて、第１のアナログ信号増幅部の利得を調整するＹ信号フィードバック利得調整部と、第１のディジタルＹ信号に対して垂直同期期間の検出を行い、垂直同期期間であるか否かを示す垂直同期期間信号を出力する垂直同期検出部と、アナログＹ信号とアナログ色差信号と垂直同期期間信号を入力し、垂直同期期間中であるときにはアナログＹ信号、垂直同期期間外であるときにはアナログ色差信号を出力する切替部と、該切替部からの出力信号を増幅する第２のアナログ信号増幅部と、該第２のアナログ信号増幅部により増幅された出力信号をＡ／Ｄ変換して中間ディジタル信号を得る第２のＡ／Ｄ変換部と、垂直同期期間中において、中間ディジタル信号の信号レベルに基づいて第２のアナログ信号増幅部の利得を調整し、垂直同期期間外であるときに、次の垂直同期期間まで、前回の垂直同期期間中に調整した利得を維持する色差信号フィードバック利得調整部を備える。
【００２４】
なお、上記映像信号変換装置を方法、システムに置き換えて表現したものも、本発明の態様としては有効である。
【発明の効果】
【００２５】
本発明にかかる映像信号変換技術によれば、アナログＹ信号とアナログ色差信号が含まれるアナログ映像信号をＡ／Ｄ変換する際に、アナログＹ信号とアナログ色差信号が最適にＡ／Ｄ変換されるように利得制御できると共に、Ｙ信号と色差信号のＡ／Ｄ変換前後の比率を一定に保つことができる。
【発明を実施するための最良の形態】
【００２６】
本発明の実施の形態を具体的に説明する前に、まず、本発明による映像信号変換技術の原理を説明する。
図１は、本発明の原理に基づく映像信号変換装置１８０の模式図を示す。映像信号変換装置１８０は、アナログＹ信号とアナログ色差信号が含まれるアナログ映像信号を目標のディジタルＹ信号（以下単に目標Ｙ信号という）と目標のディジタル色差信号（以下単に目標色差信号という）に変換するものである。アナログＹ信号とアナログ色差信号は、アナログコンボジット信号をＹ／Ｃ分離して得たものであってもよいし、アナログコンポーネント信号に含まれたものであってもよい。
【００２７】
映像信号変換装置１８０は、アナログＹ信号を増幅するアナログ信号増幅部１３０、アナログ信号増幅部１３０により増幅したアナログＹ信号をＡ／Ｄ変換して第１のディジタルＹ信号を得るＡ／Ｄ変換部１３２、第１のディジタルＹ信号を増幅して目標Ｙ信号を得るディジタル信号増幅部１３８、第１のディジタル信号に対して垂直同期期間の検出を行い垂直同期期間であるか否かを示す垂直同期信号を出力する垂直同期検出部１４０、垂直同期信号に基づいてアナログＹ信号とアナログ色差信号のいずれを出力するかを切り替える切替部１４２、切替部の出力信号を増幅するアナログ信号増幅部１５０、アナログ信号増幅部１５０により増幅した出力信号をＡ／Ｄ変換して中間ディジタル信号を得るＡ／Ｄ変換部１５２、垂直同期信号を入力し、該垂直同期信号が垂直同期期間ではないことを示すときに中間ディジタル信号を増幅するディジタル信号増幅部１５８を有する。
【００２８】
アナログ信号増幅部１３０の利得は、Ｙ信号フィードバック利得調整部１３４により調整され、アナログ信号増幅部１５０の利得は、色差信号フィードバック利得調整部１５４により調整される。ディジタル信号増幅部１３８とディジタル信号増幅部１５８の利得は、フィードフォーワード利得調整部１３６により調整される。
【００２９】
Ｙ信号フィードバック利得調整部１３４は、第１のディジタルＹ信号のレベルに基づいて、アナログＹ信号がＡ／Ｄ変換部１３２によるＡ／Ｄ変換が最適に行われるように、アナログ信号増幅部１３０の利得を調整する。この利得制御は、第１のディジタルＹ信号の最大レベル値が常に所定の第１のレベルになるように制御する最大値利得制御であってもよいし、第１のディジタルＹ信号に含まれる水平同期信号のレベル（水平同期レベル）が常に所定の第２のレベルになるように制御する同期レベル利得制御であってもよい。
【００３０】
フィードフォーワード利得調整部１３６は、第１のディジタルＹ信号に基づいて、ディジタル信号増幅部１３８とディジタル信号増幅部１５８の利得を調整する。この利得制御も、第１のディジタルＹ信号の最大レベル値が常に所定の最大値目標レベルに変換されるように制御する最大値利得制御であってもよいし、第１のディジタルＹ信号に含まれる水平同期信号のレベルが常に所定の同期レベル目標値に変換されるように制御する同期レベル利得制御であってもよい。さらに、フィードフォーワード利得調整部１３６は、最大値利得制御と同期レベル制御を選択的に行うものであってもよい。なお、最大値目標レベルや同期レベル目標値は、例えば規格により定められたものとすることができる。
【００３１】
切替部１４２は、アナログＹ信号と、アナログ色差信号と、垂直同期検出部１４０からの垂直同期期間信号を入力し、垂直同期期間信号に応じて、垂直同期期間中であるときにはアナログＹ信号を出力し、垂直同期期間外のときにはアナログ色差信号を出力する。
【００３２】
アナログ信号増幅部１５０は切替部１４２の出力信号を増幅し、Ａ／Ｄ変換部１５２は、アナログ信号増幅部１５０により増幅された出力信号をＡ／Ｄ変換して中間ディジタル信号を得る。ここで、色差信号フィードバック利得調整部１５４は、垂直同期期間中信号と中間ディジタル信号を入力し、垂直同期期間中と垂直同期期間外で異なる動作をする。
【００３３】
まず、垂直同期期間中に色差信号フィードバック利得調整部１５４の動作を説明する。
前述したように、垂直同期期間中に、切替部１４２から出力された出力信号がアナログＹ信号である。そのため、中間ディジタル信号は、アナログ信号増幅部１５０とＡ／Ｄ変換部１５２を経由して得られたディジタルＹ信号である。
【００３４】
色差信号フィードバック利得調整部１５４は、このディジタルＹ信号のレベルに基づいて、アナログ信号増幅部１５０の利得を制御する。なお、色差信号フィードバック利得調整部１５４は、Ｙ信号フィードバック利得調整部１３４と同じ方式の制御方式で利得制御を行うものである。すなわち、Ｙ信号フィードバック利得調整部１３４が最大値利得制御を行うものであれば、色差信号フィードバック利得調整部１５４は、Ａ／Ｄ変換部１５２により得られるディジタルＹ信号の最大レベル値が常に上記第１のレベルになるようにアナログ信号増幅部１５０の利得を調整し、Ｙ信号フィードバック利得調整部１３４が同期レベル利得制御を行うものであれば、色差信号フィードバック利得調整部１５４は、Ａ／Ｄ変換部１５２により得られるディジタルＹ信号に含まれる水平同期信号のレベルが常に上記第２のレベルになるようにアナログ信号増幅部１５０の利得を調整する。
【００３５】
色差信号フィードバック利得調整部１５４は、垂直同期期間中に上述した利得制御を行い、垂直同期期間外のときに、前回の垂直同期期間中に調整したアナログ信号増幅部１５０の利得を、次の垂直同期期間まで維持する。
【００３６】
垂直同期期間外のときに、切替部１４２からの出力信号が色差信号であり、中間ディジタル信号も色差ディジタル信号となる。このとき、色差信号は、前回の垂直同期期間中に色差信号フィードバック利得調整部１５４により調整された利得で増幅された後にＡ／Ｄ変換される。
【００３７】
もし、アナログ信号増幅部１５０とＡ／Ｄ変換部１５２の特性が、アナログ信号増幅部１３０とＡ／Ｄ変換部１３２の特性とのばらつきがなければ、垂直同期期間中にＡ／Ｄ変換部１５２により得られたディジタルＹ信号は、第１のディジタルＹ信号と同じである。しかし、上述したように、アナログ素子の特性のばらつきがある。したがって、第１のディジタルＹ信号のレベルに基づいた利得制御をアナログ信号増幅部１５０に対して行っても、同じアナログＹ信号に対して、アナログ信号増幅部１３０とＡ／Ｄ変換部１３２を経由して得た第１のディジタルＹ信号のレベルと、アナログ信号増幅部１５０とＡ／Ｄ変換部１５２を経由して得たディジタルＹ信号のレベル間でばらつきが生じうる。
【００３８】
図１に示す映像信号変換装置１８０において、垂直同期期間中に、アナログ色差信号を処理するアナログ信号増幅部１５０とＡ／Ｄ変換部１５２にアナログＹ信号を入力して処理させ、その結果に応じて色差信号フィードバック利得調整部１５４はアナログ信号増幅部１５０の利得を制御する。そのため、アナログ信号増幅部１５０とＡ／Ｄ変換部１５２の性能とのばらつきがなければ、垂直同期期間中にＡ／Ｄ変換部１５２により得られたディジタが、アナログ信号増幅部１３０とＡ／Ｄ変換部１３２の性能とのばらつきがあっても、アナログ信号増幅部１３０とＡ／Ｄ変換部１３２を経由して得た第１のディジタルＹ信号のレベルと、アナログ信号増幅部１５０とＡ／Ｄ変換部１５２を経由して得たディジタルＹ信号のレベルが同様になる。
【００３９】
垂直同期期間外において、アナログ信号増幅部１５０が前回の垂直同期期間中に調整された利得でアナログ色差信号を増幅するため、アナログＹ信号とアナログ色差信号の比率は、Ａ／Ｄ変換部１５２によるＡ／Ｄ変換後も変わらない。
【００４０】
一方、ディジタル信号増幅部１３８とディジタル信号増幅部１５８がディジタル素子であるため、性能のばらつきが生じにくい。そのため、ディジタル信号増幅部１３８とディジタル信号増幅部１５８は、同一のフィードフォーワード利得調整部１３６より、第１のディジタルＹ信号のレベルに基づいた同様の利得制御がなされたとき、第１のディジタルＹ信号を増幅して目標Ｙ信号を得る際の利得と、Ａ／Ｄ変換部１５２により得られたディジタル色差信号を増幅して得た目標色差信号を得る際の利得とは、実質的にも同じである。
【００４１】
このように、図１に示す映像信号変換装置１８０によれば、アナログＹ信号とアナログ色差信号が最適にＡ／Ｄ変換されるように利得制御できると共に、Ｙ信号と色差信号のＡ／Ｄ変換前後の比率を一定に保つことができる。
【００４２】
さらに、規格に合わせるなどのために、Ａ／Ｄ変換後にさらに増幅するシステムにおいても、増幅した後のこの比率は変わらない。また、この場合、図１に示す映像信号変換装置１８０には、Ｙ信号と色差信号に対して同じフィードフォーワード利得調整部１３６を用いるので、回路規模を削減することができる。
【００４３】
なお、消費電力を抑制する視点から、図１に示す映像信号変換装置１８０において、ディジタル信号増幅部１５８は、垂直同期期間において増幅動作をせず中間ディジタル信号（ディジタルＹ信号）をそのまま出力することが好ましい。
【００４４】
また、垂直同期期間において色差信号のルート上をＹ信号が流れるが、ディジタル信号増幅部１５８の後段の処理部（図示せず）に、垂直同期期間中にディジタル信号増幅部１５８からの出力を所定の固定値にするマスク処理部などを設ければよい。
【００４５】
次に、上述した本発明の原理を具現化した実施の形態について説明する。
図２は、本発明の実施の形態にかかる映像信号変換装置２００を示す。この映像信号変換装置２００は、アナログコンポーネント信号からディジタルコンポーネント信号を得るためのものである。
【００４６】
アナログ信号増幅部２１２、Ａ／Ｄ変換部２１４、ディジタル信号増幅部２５０は、アナログＹ信号を増幅してＡ／Ｄ変換し、その後にさらに目標Ｙ信号に増幅する。
【００４７】
水平同期レベル検出部２２０と、アナログ利得制御部２２２と、Ｄ／Ａ変換部２２４は、同期レベル利得制御方式のＹ信号フィードバック利得調整部を構成する。水平同期レベル検出部２２０は、Ａ／Ｄ変換部２１４により得られた第１のディジタルＹ信号Ｙ１に含まれる水平同期レベルを検出する。アナログ利得制御部２２２は、水平同期レベル検出部２２０により検出した水平同期レベルが常に所定のレベルになるようにアナログ信号増幅部２１２の利得を制御する制御信号を生成する。Ｄ／Ａ変換部２２４は、アナログ利得制御部２２２が生成した制御信号をアナログ信号に変換してアナログ信号増幅部２１２に出力する。
【００４８】
垂直同期検出部２６０、切替部２７０、アナログ信号増幅部２７２、Ａ／Ｄ変換部２７４、ディジタル信号増幅部２９０は、図１に示す映像信号変換装置１８０における垂直同期検出部１４０、切替部１４２、アナログ信号増幅部１５０、Ａ／Ｄ変換部１５２、ディジタル信号増幅部１５８とそれぞれ同じ動作をするので、ここで詳細な説明を省略する。
【００４９】
水平同期レベル検出部２８０と、アナログ利得制御部２８２と、Ｄ／Ａ変換部２８４は、同期レベル利得制御方式の色差信号フィードバック利得調整部を構成し、垂直同期期間中においてアナログ信号増幅部２７２の利得を調整し、垂直同期期間外であるときに、次の垂直同期期間まで、調整された利得を維持する。
【００５０】
具体的には、垂直同期期間中において、水平同期レベル検出部２８０は、Ａ／Ｄ変換部２１４により得られた中間ディジタル信号Ｓ１（ディジタルＹ信号）に含まれる水平同期レベルを検出する。アナログ利得制御部２８２は、水平同期レベル検出部２８０により検出した水平同期レベルが常に上記所定のレベルになるようにアナログ信号増幅部２７２の利得を制御する制御信号を生成する。Ｄ／Ａ変換部２８４は、アナログ利得制御部２８２が生成した制御信号をアナログ信号に変換してアナログ信号増幅部２７２に出力する。
【００５１】
一方、垂直同期期間外であるときに、次の垂直同期期間まで、アナログ利得制御部２８２は、前回の垂直同期期間中に生成した制御信号を保持し、Ｄ／Ａ変換部２８４は、アナログ利得制御部２８２により保持された制御信号をアナログ信号に変換してアナログ信号増幅部２７２に出力する。
【００５２】
水平同期レベル検出部２２０と、最大値検出部２３０と、ディジタル利得制御部２４０は、フィードフォーワード利得調整部を構成する。最大値検出部２３０は、第１のディジタルＹ信号の最大レベル値を検出する。ディジタル利得制御部２４０は、最大値利得制御と同期レベル利得制御を選択的に行う。最大値利得制御を行うときには、最大値検出部２３０からの最大レベル値が常に目標最大レベル値が常に所定の最大値目標レベルに変換されるようにディジタル信号増幅部２５０とディジタル信号増幅部２９０の利得を調整する制御信号を出力する。一方、同期レベル利得制御を行うときには、水平同期レベル検出部２２０からの水平同期レベルが常に所定の同期レベル目標値に変換されるようにディジタル信号増幅部２５０とディジタル信号増幅部２９０の利得を調整する制御信号を出力する。
【００５３】
ディジタル利得制御部２４０が最大値利得制御と同期レベル利得制御のいずれの制御方式を選択するかは、例えばシステムＣＰＵ（Ｃｅｎｔｒａｌ  Ｐｒｏｃｅｓｓｉｎｇ  Ｕｎｉｔ）によるレジスタ制御など、外部から選択信号を与えることにより、目的に応じて任意に変更することが可能である。
【００５４】
本実施の形態の映像信号変換装置２００は、図１を参照して説明した映像信号変換装置１８０と同じ効果を得ることができる。
【００５５】
また、Ｙ信号フィードバック利得調整部とフィードフォーワード利得調整部とで同じ水平同期レベル検出部２２０を共有することにより、回路規模を削減することができる。
【００５６】
以上、実施の形態をもとに本発明を説明した。実施の形態は例示であり、本発明の主旨から逸脱しない限り、上述した各実施の形態に対して、さまざまな変更、増減、組合せを行ってもよい。これらの変更、増減、組合せが行われた変形例も本発明の範囲にあることは当業者に理解されるところである。
【００５７】
例えば、図２に示す映像信号変換装置２００において、Ｙ信号フィードバック利得調整部と色差信号フィードバック利得調整部は同期レベル利得制御方式を用いるが、最大値利得制御方式を用いてもよい。
【００５８】
また、映像信号変換装置２００におけるフィードフォーワード利得調整部は、最大値利得制御方式と同期レベル利得制御方式を選択的に用いるが、いずれか一方のみを用いるようにしてもよい。
【００５９】
また、映像信号変換装置２００は、アナログコンポーネント信号対象にしているが、アナログＹ信号とアナログ色差信号が含まれるいかなるアナログ映像信号をディジタルコンポーネント信号への変換にも適用することができる。
【図面の簡単な説明】
【００６０】
【図１】本発明の原理を説明するための映像信号変換装置の模式図である。
【図２】本発明の実施の形態にかかる映像信号変換装置を示す図である。
【図３】従来の技術を説明するための図である（その１）。
【図４】図３に示す従来の技術の適用例を説明するための図である。
【図５】従来の技術を説明するための図である（その２）。
【図６】従来の技術の問題点を説明するための図である。
【符号の説明】
【００６１】
１３０  アナログ信号増幅部
１３２  Ａ／Ｄ変換部
１３４  Ｙ信号フィードバック利得調整部
１３６  フィードフォーワード利得調整部
１３８  ディジタル信号増幅部
１４０  垂直同期検出部
１４２  切替部
１５０  アナログ信号増幅部
１５２  Ａ／Ｄ変換部
１５４  色差信号フィードバック利得調整部
１５８  ディジタル信号増幅部
１８０  映像信号変換装置
２００  映像信号変換装置
２１２  アナログ信号増幅部
２１４  Ａ／Ｄ変換部
２２０  水平同期レベル検出部
２２２  アナログ利得制御部
２２４  Ｄ／Ａ変換部
２３０  最大値検出部
２４０  ディジタル利得制御部
２５０  ディジタル信号増幅部
２６０  垂直同期検出部
２７０  切替部
２７２  アナログ信号増幅部
２７４  Ａ／Ｄ変換部
２８０  水平同期レベル検出部
２８２  アナログ利得制御部
２８４  Ｄ／Ａ変換部
２９０ディジタル信号増幅部
【図１】
2008258988.tif 000003
【図２】
2008258988.tif 000004
【図３】
2008258988.tif 000005
【図４】
2008258988.tif 000006
【図５】
2008258988.tif 000007
【図６】
2008258988.tif 000008